(57)【特許請求の範囲】
【請求項１】
操舵部に操舵反力を付与する操舵反力アクチュエータと、
自車の横位置が白線に近いほど当該白線から遠ざかる方向の操舵反力が大きくなる操舵反力制御量を演算する操舵反力制御量演算手段と、
前記操舵反力制御量に基づいて前記操舵反力アクチュエータを制御する操舵反力制御手段と、
前記操舵部と機械的に切り離された転舵部に転舵トルクを付与する転舵アクチュエータと、
自車の横位置が白線に近いほど当該白線から遠ざかる方向の転舵量が大きくなる転舵制御量を演算する転舵制御量演算手段と、
前記転舵制御量に基づいて前記転舵アクチュエータを制御する転舵制御手段と、
前記操舵反力制御量が所定の閾値以上である状態が所定時間継続した場合、前記操舵反力制御量を低下させる反力抑制処理操舵反力制御量を演算し、前記操舵反力制御量に代えて前記反力抑制処理操舵反力制御量に基づいて前記操舵反力アクチュエータを制御する反力抑制処理を行う反力抑制処理手段と、
前記反力抑制処理が開始された場合、前記転舵制御量を反力抑制処理開始時点の値に保持する転舵量保持手段と、
を備えたことを特徴とする操舵制御装置。
【請求項２】
請求項１に記載の操舵制御装置において、
前記反力抑制処理手段は、前記反力抑制処理操舵反力制御量が所定の復帰閾値まで低下した場合、前記反力抑制処理操舵反力制御量を前記復帰閾値に保持することを特徴とする操舵制御装置。
【請求項３】
請求項２に記載の操舵制御装置において、
車両の直進状態を判定する直進判定手段を備え、
前記反力抑制処理手段は、前記反力抑制処理操舵反力制御量の保持中に直進状態と判定された場合、前記反力抑制処理を解除し、前記反力抑制処理操舵反力制御量を前記操舵反力制御量まで復帰させることを特徴とする操舵制御装置。
【請求項４】
請求項１ないし請求項３のいずれか１項に記載の操舵制御装置において、
前記反力抑制処理手段は、前記反力抑制処理中に前記操舵反力制御量が前記反力抑制処理操舵反力制御量を下回った場合には、前記操舵反力制御量を前記操舵反力アクチュエータに付与することを特徴とする操舵制御装置。
【請求項５】
請求項１ないし請求項４のいずれか１項に記載の操舵制御装置において、
前記転舵量保持手段は、前記反力抑制処理が解除された場合、保持していた転舵制御量を前記転舵制御量演算手段により演算された転舵制御量まで復帰させることを特徴とする操舵制御装置。
【請求項６】
請求項１ないし請求項５のいずれか１項に記載の操舵制御装置において、
前記転舵量保持手段は、前記反力抑制処理開始後に転舵制御量演算手段により演算された転舵制御量が前記反力抑制処理開始時点の値を下回った場合には、前記転舵制御量を前記転舵アクチュエータに付与することを特徴とする操舵制御装置。
【発明の詳細な説明】
【技術分野】
【０００１】
本発明は、操舵制御装置に関する。
【背景技術】
【０００２】
特許文献１には、自車の横位置が白線に近いほど白線から遠ざかる方向の操舵反力を大きくして車線逸脱を抑制し、ドライバの運転支援を行う技術が開示されている。
【先行技術文献】
【特許文献】
【０００３】
【特許文献１】特開2001-48034号公報
【発明の概要】
【発明が解決しようとする課題】
【０００４】
しかしながら、上記のような運転支援を長時間継続すると、ドライバが運転支援を過信して運転への意識が低下するおそれがある。
本発明の目的は、車線逸脱を抑制しつつ、ドライバの運転に対する意識を高めることができる操舵制御装置を提供することにある。
【課題を解決するための手段】
【０００５】
本発明では、自車の横位置が白線に近いほど当該白線から遠ざかる方向の操舵反力が大きくなる操舵反力制御量に基づいて、操舵部に操舵反力を付与する操舵反力アクチュエータを制御すると共に、自車の横位置が白線に近いほど当該白線から遠ざかる方向の転舵量が大きくなる転舵制御量に基づいて、操舵部と機械的に切り離された転舵部に転舵トルクを付与する転舵アクチュエータを制御する際、操舵反力制御量が所定の閾値以上である状態が所定時間継続した場合、操舵反力制御量を低下させる反力抑制処理操舵反力制御量を演算し、操舵反力制御量に代えて反力抑制処理操舵反力制御量に基づいて操舵反力アクチュエータを制御する反力抑制処理を行う一方、反力抑制制御が開始されたとき、転舵量を反力抑制処理開始時点の値に保持する。
【発明の効果】
【０００６】
よって、車線逸脱を抑制しつつ、ドライバが運転支援を過信するのを抑制でき、ドライバの運転に対する意識を高めることができる。
【図面の簡単な説明】
【０００７】
【図１】実施例１の車両の操舵系を示すシステム図である。
【図２】転舵制御部19の制御ブロック図である。
【図３】操舵反力制御部20の制御ブロック図である。
【図４】外乱抑制指令転舵角演算部32の制御ブロック図である。
【図５】ヨー角に応じた反発力演算部37の制御ブロック図である。
【図６】横位置に応じた反発力演算部38の制御ブロック図である。
【図７】ヨー角F/B制御および横位置F/B制御の制御領域を示す図である。
【図８】高速道路の直線路を走行中の車両が単発的な横風を受けた場合のヨー角変化を示すタイムチャートである。
【図９】高速道路の直線路を走行中の車両が連続的な横風を受けた場合に横位置F/B制御を実施しないときのヨー角変化および横位置変化を示すタイムチャートである。
【図１０】高速道路の直線路を走行中の車両が連続的な横風を受けた場合に横位置F/B制御を実施したときのヨー角変化および横位置変化を示すタイムチャートである。
【図１１】横力オフセット部34の制御ブロック図である。
【図１２】セルフアライニングトルクに応じた操舵反力トルクを表す操舵反力特性がセルフアライニングトルクと同一方向へオフセットした状態を示す図である。
【図１３】ステアリングホイールの操舵角とドライバの操舵トルクとの関係を示す特性図である。
【図１４】セルフアライニングトルクに応じた操舵反力トルクを表す操舵反力特性をセルフアライニングトルクと同一方向へオフセットすることにより、ステアリングホイールの操舵角とドライバの操舵トルクとの関係を示す特性が変化した状態を示す図である。
【図１５】操舵反力トルクオフセット部36の制御ブロック図である。
【図１６】逸脱余裕時間に応じた反力演算部39の制御ブロック図である。
【図１７】横位置に応じた反力演算部40の制御ブロック図である。
【図１８】セルフアライニングトルクに応じた操舵反力トルクを表す操舵反力特性が操舵反力トルクの絶対値が大きくなる方向へオフセットした状態を示す図である。
【図１９】ステアリングホイールの操舵角とドライバの操舵トルクとの関係を示す特性図である。
【図２０】セルフアライニングトルクに応じた操舵反力トルクを表す操舵反力特性を操舵反力トルクの絶対値が大きくなる方向へオフセットすることにより、ステアリングホイールの操舵角とドライバの操舵トルクとの関係を示す特性が変化した状態を示す図である。
【図２１】操舵反力トルクオフセット量が閾値以上である状態が所定時間継続した場合の操舵反力トルクオフセット量と横位置に応じた反発力のタイムチャートである。
【符号の説明】
【０００８】
1  操舵部
2  転舵部
3  バックアップクラッチ
4  SBWコントローラ
5FL,5FR  左右前輪
6  ステアリングホイール
7  コラムシャフト
8  反力モータ
9  操舵角センサ
11  ピニオンシャフト
12  ステアリングギア
13  転舵モータ
14  転舵角センサ
15  ラックギア
16  ラック
17  カメラ
18  車速センサ
19  転舵制御部
19a  加算器
20  操舵反力制御部
20a  減算器
20b  加算器
20c  加算器
21  映像処理部
22  電流ドライバ
23  電流ドライバ
24  ナビゲーションシステム
31  指令転舵角演算部
32  外乱抑制指令転舵角演算部
32a  ヨー角演算部
32b  曲率演算部
32c  横位置演算部
32d  加算器
32e  目標ヨーモーメント演算部
32f  目標ヨー加速度演算部
32g  目標ヨーレイト演算部
32h  指令転舵角演算部
32i  リミッタ処理部
33  横力演算部
34  横力オフセット部
34a  曲率演算部
34b  上下限リミッタ
34c  SATゲイン演算部
34d  乗算器
34e  リミッタ処理部
35  SAT演算部
36  操舵反力トルクオフセット部
36a  ヨー角演算部
36b  横位置演算部
36c  反力選択部
36d  リミッタ処理部
37  ヨー角に応じた反発力演算部
37a  上下限リミッタ
37b  ヨー角F/Bゲイン乗算部
37c  車速補正ゲイン乗算部
37d  曲率補正ゲイン乗算部
37e  乗算器
38  横位置に応じた反発力演算部
38a  減算器
38b  上下限リミッタ
38c  距離補正ゲイン乗算部
38d  横位置F/Bゲイン乗算部
38e  車速補正ゲイン乗算部
38f  曲率補正ゲイン乗算部
38g  乗算器
39  逸脱余裕時間に応じ反力演算部
39a  乗算器
39b  除算器
39c  除算器
39d  逸脱余裕時間選択部
39e  逸脱余裕時間に応じた反力演算部
40  横位置に応じた反力演算部
40a  減算器
40b  減算器
40c  横位置偏差選択部
40d  横位置偏差に応じた反力演算部
41  反発力保持部
42  反力抑制処理部
【発明を実施するための形態】
【０００９】
〔実施例１〕
［システム構成］
図１は、実施例１の車両の操舵系を示すシステム図である。
実施例１の操舵装置は、操舵部1、転舵部2、バックアップクラッチ3、SBWコントローラ4を主要な構成とし、ドライバの操舵入力を受ける操舵部1と、左右前輪（転舵輪）5FL,5FRを転舵する転舵部2とが機械的に切り離されたステアバイワイヤ(SBW)システムを採用している。
【００１０】
操舵部1は、ステアリングホイール6、コラムシャフト7、反力モータ8および操舵角センサ9を備える。
コラムシャフト7は、ステアリングホイール6と一体に回転する。
反力モータ8は、例えば、ブラシレスモータであり、出力軸がコラムシャフト7と同軸の同軸モータであり、SBWコントローラ4からの指令に応じて、コラムシャフト7に操舵反力トルクを出力する。
操舵角センサ9は、コラムシャフト7の絶対回転角、すなわち、ステアリングホイール6の操舵角を検出する。
【００１１】
転舵部2は、ピニオンシャフト11、ステアリングギア12、転舵モータ13、および転舵角センサ14を備える。
ステアリングギア12は、ラック&ピニオン式のステアリングギアであり、ピニオンシャフト11の回転に応じて前輪5L,5Rを転舵する。
転舵モータ13は、例えば、ブラシレスモータであり、出力軸が図外の減速機を介してラックギア15と接続され、SBWコントローラ4からの指令に応じて、ラック16に前輪5を転舵するための転舵トルクを出力する。
転舵角センサ14は、転舵モータ13の絶対回転角を検出する。ここで、転舵モータ13の回転角と前輪5の転舵角とは常に一意に定まる相関関係があるため、転舵モータ13の回転角から前輪5の転舵角を検出できる。以下では特に記載しない限り、前輪5の転舵角は転舵モータ13の回転角から算出されたものとする。
バックアップクラッチ3は、操舵部1のコラムシャフト7と転舵部2のピニオンシャフト11との間に設けられ、解放により操舵部1と転舵部2とを機械的に切り離し、締結により操舵部1と転舵部2とを機械的に接続する。
【００１２】
SBWコントローラ4には、上記操舵角センサ9および転舵角センサ14に加え、カメラ17により撮影された自車前方の走行路の映像および車速センサ18により検出された車速（車体速）が入力される。
SBWコントローラ4は、前輪5FL,5FRの転舵角を制御する転舵制御部19と、コラムシャフト7に付与する操舵反力トルクを制御する操舵反力制御部20と、映像処理部21とを有する。
転舵制御部19は、各入力情報に基づいて指令転舵角を生成し、生成した指令転舵角を電流ドライバ22へ出力する。
電流ドライバ22は、転舵角センサ14により検出される実転舵角を指令転舵角と一致させる角度フィードバックにより転舵モータ13への指令電流を制御する。
操舵反力制御部20は、各入力情報に基づいて指令操舵反力トルクを生成し、生成した指令操舵反力トルクを電流ドライバ23へ出力する。
電流ドライバ23は、反力モータ8の電流値から推定される実操舵反力トルクを指令操舵反力トルクと一致させるトルクフィードバックにより反力モータ8への指令電流を制御する。
映像処理部21は、カメラ17により撮影された自車前方の走行路の映像からエッジ抽出等の画像処理によって走行車線左右の白線（走行路区分線）を認識する。
加えて、SBWコントローラ4は、SBWシステムのフェール時、バックアップクラッチ3を締結して操舵部1と転舵部2とを機械的に連結し、ステアリングホイール6の操舵によるラック16の軸方向移動を可能とする。このとき、転舵モータ13のアシストトルクによりドライバの操舵力を補助する電動パワーステアリングシステム相当の制御を行ってもよい。
上記SBWシステムにおいて、各センサ、各コントローラ、各モータを複数設けた冗長系としてもよい。また、転舵制御部19と操舵反力制御部20を別体としてもよい。
【００１３】
実施例１では、ドライバの修正操舵量の低減および操舵負担の軽減を狙いとし、スタビリティ制御および修正操舵低減制御を実施する。
スタビリティ制御は、外乱（横風、路面凹凸、轍、路面カント等）に対する車両の安定性向上を目的とし、２つのフィードバック(F/B)制御を行う。
1.ヨー角F/B制御
白線と自車進行方向とのなす角度であるヨー角に応じて転舵角を補正し、外乱により発生したヨー角を減少させる。
2.横位置F/B制御
白線までの距離（横位置）に応じて転舵角を補正し、外乱により発生したヨー角の積分値である横位置変化を減少させる。
【００１４】
修正操舵低減制御は、ドライバの操舵入力に対する車両の安定性向上を目的とし、３つの反力オフセット制御を行う。
1.横位置に応じた反力オフセット制御
横位置に応じてセルフアライニングトルクに応じた操舵反力特性を操舵反力の絶対値が大きくなる方向へオフセットし、ドライバが操舵角中立位置をまたぐ修正操舵を行ったときに操舵トルクの符号が反転するのを抑制する。
2.逸脱余裕時間に応じた反力オフセット制御
逸脱余裕時間（白線への到達時間）に応じてセルフアライニングトルクに応じた操舵反力特性を操舵反力の絶対値が大きくなる方向へオフセットし、ドライバが操舵角中立位置をまたぐ修正操舵を行ったときに操舵トルクの符号が反転するのを抑制する。
3.曲率に応じた反力オフセット制御
白線の曲率に応じてセルフアライニングトルクに応じた操舵反力特性をセルフアライニングトルクと同一符号方向へオフセットし、旋回時におけるドライバの保舵力を低減すると共に保舵力変化に対する保舵角変化を抑制する。
【００１５】
［転舵制御部］
図２は、転舵制御部19の制御ブロック図である。
SBW指令転舵角演算部31は、操舵角と車速とに基づいてSBW指令転舵角を演算する。
外乱抑制指令転舵角演算部32は、車速と白線情報とに基づき、スタビリティ制御においてSBW指令転舵角を補正するための外乱抑制指令転舵角を演算する。外乱抑制指令転舵角演算部32の詳細については後述する。
加算器19aは、SBW指令転舵角と外乱抑制指令転舵角とを加算した値を最終的な指令転舵角として電流ドライバ22へ出力する。
【００１６】
［操舵反力制御部］
図３は、操舵反力制御部20の制御ブロック図である。
横力演算部33は、操舵角と車速とに基づき、あらかじめ実験等により求めたコンベンショナルな操舵装置における車速毎の操舵角とタイヤ横力との関係を表す操舵角−横力変換マップを参照してタイヤ横力を演算する。操舵角−横力変換マップは、操舵角が大きいほどタイヤ横力が大きく、かつ、操舵角が小さいときは大きいときよりも操舵角の変化量に対するタイヤ横力の変化量が大きく、かつ、車速が高いほどタイヤ横力が小さくなる特性を有する。
横力オフセット部34は、車速と白線情報とに基づき、曲率に応じた反力オフセット制御において操舵反力特性をオフセットするための横力オフセット量を演算する。横力オフセット部34の詳細については後述する。
減算器20aは、タイヤ横力から横力オフセット量を減算する。
SAT演算部35は、車速と横力オフセット量によるオフセット後のタイヤ横力とに基づき、あらかじめ実験等により求めたコンベンショナルな操舵装置におけるタイヤ横力と操舵反力トルクとの関係を表す横力−操舵反力トルク変換マップを参照してタイヤ横力によって発生する操舵反力トルクを演算する。タイヤ横力−操舵反力トルク変換マップは、タイヤ横力が大きいほど操舵反力トルクが大きく、タイヤ横力が小さいときは大きいときよりもタイヤ横力の変化量に対する操舵反力トルクの変化量が大きく、かつ、車速が高いほど操舵反力トルクが小さくなる特性を有する。この特性は、コンベンショナルな操舵装置において、路面反力によって発生する車輪が直進状態に戻ろうとするセルフアライニングトルクによってステアリングホイールに発生する反力を模擬したものである。
横力演算部33およびSAT演算部35は、ステアリングホイール6の操舵角に基づいてセルフアライニングトルク（転舵部の転舵状態）を推定する転舵状態推定手段に相当する。
【００１７】
加算器20bは、操舵反力トルクとステアリング特性に応じた操舵反力トルク成分（ばね項、粘性項、慣性項）を加算する。ばね項は操舵角に比例する成分であり、操舵角に所定のゲインを乗じて算出する。粘性項は操舵角速度に比例する成分であり操舵角速度に所定のゲインを乗じて算出する。慣性項は操舵角加速度に比例する成分であり、操舵角加速度に所定のゲインを乗じて算出する。
操舵反力トルクオフセット部36は、車速と自車前方の走行路の映像とに基づき、横位置または逸脱余裕時間に応じた反力オフセット制御において操舵反力特性をオフセットするための操舵反力トルクオフセット量を演算する。操舵反力トルクオフセット部36の詳細については後述する。
加算器20cは、ステアリング特性に応じた操舵反力トルク成分を加算した後の操舵反力トルクと操舵トルクオフセット量とを加算した値を最終的な指令操舵反力トルクとして電流ドライバ23へ出力する。
【００１８】
［外乱抑制指令転舵角演算部］
図４は、外乱抑制指令転舵角演算部32の制御ブロック図である。
ヨー角演算部32aは、前方注視点での白線と自車進行方向とのなす角度であるヨー角を演算する。前方注視点でのヨー角は、所定時間（例えば、0.5秒）後の白線と自車進行方向とのなす角度とする。カメラ17により撮影された走行路の映像に基づいてヨー角を演算することで、簡単かつ高精度にヨー角を検出できる。
曲率演算部32bは、前方注視点での白線の曲率を演算する。
横位置演算部32cは、前方注視点先での白線までの距離を演算する。
ヨー角に応じた反発力演算部37は、ヨー角と曲率と車速とに基づき、ヨー角F/B制御において外乱により発生したヨー角を減らすための車両の反発力を演算する。ヨー角に応じた反発力演算部37の詳細については後述する。
横位置に応じた反発力演算部38は、ヨー角と曲率と車速と前方注視点での白線までの距離とに基づき、横位置F/B制御において外乱により発生した横位置変化を減らすための車両の反発力を演算する。横位置に応じた反発力演算部38の詳細については後述する。
【００１９】
横位置に応じた反発力保持部41は、反力抑制処理フラグがリセット(=0)状態である場合、横位置に応じた反発力演算部38で演算された横位置に応じた反発力（演算値）をそのまま出力し、反力抑制処理フラグがセット(=1)された場合、反力抑制処理フラグがリセットされるまでの間、反力抑制処理フラグがセットされた時点での演算値を保持する。このとき、演算値が保持値を下回った場合には、演算値を出力する。すなわち、演算値と保持値とのセレクトローにより横位置に応じた反発力を選択する。反力抑制処理フラグがセット状態からリセット状態へと切り替わった場合、保持値を演算値まで一定の勾配で復帰させる。保持値が演算値まで復帰した後は、反力抑制処理フラグがリセット状態であるため、演算値をそのまま出力する。反力抑制処理フラグについては後述する。
加算器32dは、ヨー角に応じた反発力と横位置に応じた反発力とを加算し、横方向反発力を演算する。
目標ヨーモーメント演算部32eは、横方向反発力、ホイールベース（車軸間距離）、後輪軸重および前輪軸重に基づいて目標ヨーモーメントを演算する。具体的には、横方向反発力に対し、車両重量（前輪軸重＋後輪軸重）に対する後輪軸重の割合と、ホイールベースとを乗じた値を目標ヨーモーメントとする。
目標ヨー加速度演算部32fは、目標ヨーモーメントにヨー慣性モーメント係数を乗じて目標ヨー加速度を演算する。
目標ヨーレイト演算部32gは、目標ヨー加速度に車頭時間を乗じて目標ヨーレイトを演算する。
【００２０】
指令転舵角演算部32hは、目標ヨーレイトφ*、ホイールベースWHEEL_BASE、車速Vおよび車両の特性速度vChに基づき、下記の式を参照して外乱抑制指令転舵角δst*を演算する。ここで、車両の特性速度Vchとは、既知の"アッカーマン方程式"の中のパラメータであり、車両のセルフステアリング特性を表すものである。
δst* = (φ*×WHEEL_BASE×(1+(V/vCh)2)×180)/(V×M_PI)
なお、M_PIは所定の係数である。
リミッタ処理部32iは、外乱抑制指令転舵角δst*の最大値および変化率の上限を制限する。最大値は、コンベンショナルな操舵装置（操舵部と転舵部とが機械的に接続された）において、ステアリングホイール6の操舵角が中立位置付近の遊びの角度範囲（例えば、左右3°）にあるときの当該遊びの範囲に対応する前輪5FL,5FRの転舵角範囲（例えば、左右0.2°）とする。
【００２１】
図５は、ヨー角に応じた反発力演算部37の制御ブロック図である。
上下限リミッタ37aは、ヨー角に上下限リミッタ処理を施す。上下限リミッタは、ヨー角が正の値の場合（白線と自車進行方向の延長線とが交差するときのヨー角を正とする。）には、外乱を抑制可能な所定値以上、かつ、車両が振動的となる値およびドライバの操舵によって発生する値未満の値（例えば、1°）とし、ヨー角が負の場合には0とする。
ヨー角F/Bゲイン乗算部37bは、リミッタ処理後のヨー角にヨー角F/Bゲインを乗じる。ヨー角F/Bゲインは、制御量不足を回避しつつ応答性を確保できる所定値以上、かつ、車両が振動的になる値およびドライバが操舵角と転舵角との中立ずれを感じる値未満とする。
【００２２】
車速補正ゲイン乗算部37cは、車速に車速補正ゲインを乗じる。車速補正ゲインは、0〜70km/hの範囲で最大値をとり、70〜130km/hの範囲で徐々に減少し、130km/h以上の範囲で最小値(0)となる特性とする。
曲率補正ゲイン乗算部37dは、曲率に曲率補正ゲインを乗じる。曲率補正ゲインは、曲率が大きいほど小さくなる特性とし、上限および下限(0)を設定する。
乗算器37eは、ヨー角F/Bゲイン乗算部37b、車速補正ゲイン乗算部37cおよび曲率補正ゲイン乗算部37dの各出力を乗じてヨー角に応じた反発力を求める。
【００２３】
図６は、横位置に応じた反発力演算部38の制御ブロック図である。
減算器38aは、あらかじめ設定された横位置閾値（例えば、90cm）から前方注視点先での白線までの距離を減じて横位置偏差を求める。
上下限リミッタ38bは、横位置偏差に上下限リミッタ処理を施す。上下限リミッタは、横位置偏差が正の値の場合には所定の正の値をとり、横位置偏差が負の値の場合には0とする。
距離補正ゲイン乗算部38cは、前方注視点先での白線までの距離に距離補正ゲインを乗じる。距離補正ゲインは、白線までの距離が所定値以下である場合は最大値をとり、所定値を超える場合は距離が長くなるほど小さくなる特性とし、下限を設定する。
【００２４】
横位置F/Bゲイン乗算部38dは、距離補正ゲイン乗算部38cによる補正後の白線までの距離に横位置F/Bゲインを乗じる。横位置F/Bゲインは、制御量不足を回避しつつ応答性を確保できる所定値以上、かつ、車両が振動的になる値およびドライバが中立ずれを感じる値未満とし、さらに、ヨー角F/Bゲイン乗算部37bのヨー角F/Bゲインよりも小さな値に設定する。
車速補正ゲイン乗算部38eは、車速に車速補正ゲインを乗じる。車速補正ゲインは、0〜70km/hの範囲で最大値をとり、70〜130km/hの範囲で徐々に減少し、130km/h以上の範囲で最小値(0)となる特性とする。
曲率補正ゲイン乗算部38fは、曲率に曲率補正ゲインを乗じる。曲率補正ゲインは、曲率が大きいほど小さくなる特性とし、上限および下限(0)を設定する。
乗算器38gは、横位置F/Bゲイン乗算部38d、車速補正ゲイン乗算部38eおよび曲率補正ゲイン乗算部38fの各出力を乗じて横位置に応じた反発力を求める。
【００２５】
［スタビリティ制御作用］
実施例１では、スタビリティ制御として、外乱により発生したヨー角を減少させるヨー角F/B制御と、外乱により発生したヨー角の積分値である横位置変化を減少させる横位置F/B制御を実施する。ヨー角F/B制御は、ヨー角が発生した場合、横位置にかかわらず実施し、横位置F/B制御は、白線までの距離が所定の横位置閾値(90cm)以下となった場合に実施する。すなわち、走行車線中央付近は横位置F/B制御の不感帯となる。両F/B制御の制御領域を図７に示す。φはヨー角である。
【００２６】
図８は、高速道路の直線路を走行中の車両が単発的な横風を受けた場合のヨー角変化を示すタイムチャートであり、車両は走行車線の中央付近を走行しているものとする。車両が単発的な横風を受けてヨー角が発生すると、ヨー角F/B制御では、ヨー角に応じた反発力を演算し、当該反発力を得るための外乱抑制指令転舵角を求め、操舵角と車速とに基づくSBW指令転舵角を補正する。
車両を走行車線に沿って走行させる場合、特に直線路では、白線の方向と自車進行方向とは一致しているため、ヨー角はゼロとなる。つまり、実施例１のヨー角F/B制御では、発生したヨー角を外乱によるものとみなし、ヨー角を減少させることにより、特に直進時において外乱に対する車両の安定性向上を図ることができ、ドライバの修正操舵量を低減できる。
【００２７】
従来、横風等の外乱による車両挙動への影響を抑制するものとして、コンベンショナルな操舵装置では、外乱抑制のための転舵トルクを操舵系に付与するものが知られており、SBWシステムでは、外乱抑制のための転舵を促す操舵反力成分をステアリングホイールに付与するものが知られている。ところが、これら従来の操舵装置では、操舵反力の変動が生じるため、ドライバに違和感を与えてしまう。
これに対し、実施例１のヨー角F/B制御を含むスタビリティ制御では、ステアリングホイール6と前輪5L,5Rとが機械的に切り離されたSBWシステムの特徴である、ステアリングホイール6と前輪5L,5Rとを互いに独立して制御可能な点に着目し、操舵角と車速とに応じたSBW指令転舵角とヨー角に応じた外乱抑制指令転舵角とを加算した指令転舵角に基づいて前輪5L,5Rの転舵角を制御する一方、操舵角と車速とに基づいてタイヤ横力を推定し、推定したタイヤ横力と車速とに応じた指令操舵反力に基づいて操舵反力を制御する。
すなわち、外乱抑制分の転舵角を直接前輪5L,5Rに与えるため、外乱抑制のための転舵を促す操舵反力成分の付与が不要となる。さらに、操舵角から推定したタイヤ横力に応じた操舵反力を付与することで、外乱抑制のための転舵によって生じるタイヤ横力の変動が操舵反力に反映されないため、ドライバに与える違和感を軽減できる。従来のSBWシステムでは、センサにより検出したラック軸力や転舵角からタイヤ横力を推定し、推定したタイヤ横力に応じた操舵反力を付与している。このため、外乱抑制のための転舵によって生じるタイヤ横力の変動が操舵反力に必ず反映されてしまい、ドライバの違和感となる。実施例１では、ドライバの操舵によって生じたタイヤ横力のみが操舵反力に反映され、外乱抑制のための転舵によって操舵反力が変動しないため、ドライバに与える違和感を軽減できる。
【００２８】
ここで、外乱抑制分の転舵角を直接前輪5L,5Rに与える場合、操舵角と転舵角との中立ずれが問題となるが、実施例１では、外乱抑制指令転舵角を、コンベンショナルな操舵装置において、ステアリングホイール6が操舵角中立位置付近の遊びの角度範囲（左右3°）にあるときの当該遊びの範囲に対応する前輪5FL,5FRの転舵角範囲（左右0.2°)に設定している。外乱によるヨー角の発生は、旋回時よりも直進時に顕著であり、直進時、操舵角は操舵角中立位置付近に位置している。つまり、ヨー角F/B制御による転舵角の補正は、操舵角中立位置付近で実施されることはほとんどであるため、外乱抑制指令転舵角の付与に伴う操舵角と転舵角との中立ずれ量をステアリングの遊びの範囲に抑えることで、中立ずれに伴う違和感を抑制できる。
また、外乱抑制指令転舵角を左右0.2°の範囲に制限しているため、スタビリティ制御中であってもドライバは操舵入力によって車両の進行方向を所望の方向に変化させることができる。つまり、ドライバの操舵入力によって生じる転舵角の変化量に対し、外乱抑制指令転舵角による転舵角の補正量が微小であるため、ドライバの操舵を妨げることなく外乱に対する車両の安定性向上を実現できる。
【００２９】
従来、車両の横方向運動を制御するものとして、車両の走行車線逸脱傾向が検出されると車両に逸脱を回避するヨーモーメントを付与する車線逸脱防止制御や、車両が走行車線の中央付近を走行するよう車両にヨーモーメントを付与するレーンキープ制御が公知である。ところが、車線逸脱防止制御では、制御介入の閾値を持った制御であり、走行車線の中央付近では制御が作動しないため、外乱に対する車両の安定性を確保できない。また、ドライバが車両を走行車線の端に寄せたい場合でも閾値によって制御介入がなされるため、ドライバに煩わしさを与えてしまう。一方、レーンキープ制御では、目標位置（目標ライン）を持った制御であり、外乱に対する車両の安定性を確保できるものの、目標ラインから外れたラインを走行させることはできない。加えて、ドライバがステアリングホイールの把持力を小さくすると手放し状態との判定により制御が解除されるため、ドライバは常にステアリングホイールを一定以上の力で把持しておく必要が有り、ドライバの操舵負荷が大きい。
これに対し、実施例１のヨー角F/B制御は、制御介入の閾値を持たないため、シームレスな制御により常に外乱に対する安定性を確保できる。さらに、目標位置を持たないため、ドライバは車両を好きなラインで走行させることができる。加えて、ステアリングホイール6を軽く持っている場合でも制御が解除されることはないため、ドライバの操舵負荷を小さくできる。
【００３０】
図９は、高速道路の直線路を走行中の車両が連続的な横風を受けた場合に横位置F/B制御を実施しないときのヨー角変化および横位置変化を示すタイムチャートであり、車両は走行車線の中央付近を走行しているものとする。車両が連続的な横風を受けてヨー角が発生すると、ヨー角F/B制御によってヨー角は低減されるものの、車両は連続的な外乱を受けて横流れしている。ヨー角F/B制御は、ヨー角を減少させるものであって、ヨー角ゼロの場合は転舵角の補正を行わないため、外乱により発生したヨー角の積分値である横位置変化を直接的に減少させることはできないからである。なお、ヨー角に応じた反発力を大きな値とすることで、横位置変化を間接的に抑制する（ヨー角の積分値の増加を抑制する）ことは可能であるが、外乱抑制指令転舵角の最大値はドライバに違和感を与えないよう、左右0.2°に制限されていることから、ヨー角F/B制御のみで車両の横流れを効果的に抑制することは難しい。さらに、ヨー角に応じた反発力を求めるためのヨー角F/Bゲインは、ドライバがヨー角変化に気付く前にヨー角を収束させる必要が有るため、出来るだけ大きな値としているのに対し、そのままでは車両が振動的となるため、ヨー角F/Bゲインに乗じるヨー角を上下限リミッタ37aによって上限(１°)以下に制限している。すなわち、ヨー角に応じた反発力は実際のヨー角よりも小さなヨー角に対応した反発力であるため、この点からもヨー角F/B制御のみで車両の横流れを効果的に抑制するのは困難であることがわかる。
【００３１】
そこで、実施例１のスタビリティ制御では、横位置F/B制御を導入し、定常的な外乱によって車両が横流れするのを抑制している。図１０は、高速道路の直線路を走行中の車両が連続的な横風を受けた場合に横位置F/B制御を実施したときのヨー角変化および横位置変化を示すタイムチャートであり、横位置F/B制御では、走行車線中央付近を走行中の車両が連続的な横風を受けて横流れし、白線までの距離が横位置閾値以下になると、横位置変化（≒ヨー角積分値）に応じた反発力を演算する。外乱抑制指令転舵角演算部32では、横位置に応じた反発力とヨー角に応じた反発力とを加算した横方向反発力に基づく外乱抑制指令転舵角を演算し、SBW指令転舵角を補正する。すなわち、横位置F/B制御では、横位置に応じた外乱抑制指令転舵角によってSBW指令転舵角を補正するため、定常的な外乱による横位置変化を直接的に減少させることが可能であり、車両の横流れを抑制できる。言い換えると、ヨー角F/B制御を行う車両の走行位置を、横位置F/B制御の不感帯である走行車線中央付近に戻すことができる。
【００３２】
以上のように、実施例１のスタビリティ制御は、過渡的な外乱によるヨー角変化をヨー角F/B制御により減少させ、定常的な外乱によるヨー角積分値（横位置変化）を横位置F/B制御により減少させることで、過渡的および定常的な外乱に対する車両の安定性を共に向上できる。
さらに、実施例１のスタビリティ制御は、制御（外乱抑制指令転舵角の付与）によって生じる車両挙動をドライバに気付かれない程度、かつ、ドライバの操舵によって発生する車両挙動変化を妨げない程度に制限し、かつ、制御によって生じるセルフアライニングトルクの変化を操舵反力に反映させないため、ドライバにスタビリティ制御中であることを意識させることなく実施可能である。これにより、あたかも外乱に対する安定性に優れた車体諸元を持つ車両の振る舞いを模擬できる。
なお、横位置F/B制御において横位置に応じた反発力を求めるための横位置F/Bゲインは、ヨー角F/Bゲインよりも小さな値に設定している。上述したように、ヨー角F/B制御は、過渡的な外乱によるヨー角の変化をドライバが感じる前にヨー角を収束させる必要上、高応答性が求められるのに対し、横位置F/B制御は、横位置変化が増加するのを止めることが求められること、およびヨー角積分値の蓄積によって横位置が変化するのに時間が掛かることから、ヨー角F/B制御ほどの応答性は必要としていないからである。加えて、仮に横位置F/Bゲインを大きくすると、外乱の大小によって制御量が大きく変動し、ドライバに違和感を与えるからである。
【００３３】
［横力オフセット部］
図１１は、横力オフセット部34の制御ブロック図である。
曲率演算部34aは、前方注視点での白線の曲率を演算する。
上下限リミッタ34bは、車速に上下限リミッタ処理を施す。
SATゲイン演算部34cは、リミッタ処理後の車速に基づき、車速に応じたSATゲインを演算する。SATゲインは、車速が高いほど大きなゲインとなる特性とし、上限を設定する。
乗算器34dは、SATゲインに曲率を乗じて横力オフセット量を求める。
リミッタ処理部34eは、横力オフセット量の最大値および変化率の上限を制限する。例えば、最大値は1,000N、変化率の上限は600N/sとする。
【００３４】
［曲率に応じた反力オフセット制御作用］
曲率に応じた反力オフセット制御は、白線の曲率が大きいほど大きな横力オフセット量を求め、タイヤ横力から減算する。これにより、SAT演算部35で演算されるタイヤ横力に応じた操舵反力トルク、すなわち、セルフアライニングトルクに応じた操舵反力トルクを表す操舵反力特性は、図１２に示すように、白線の曲率が大きくなるほど、セルフアライニングトルクと同一符号方向へオフセットされる。なお、図１２は右カーブの場合であり、左カーブの場合は図１２と反対方向にオフセットされる。
【００３５】
従来、操舵部と転舵部とが機械的に切り離されたSBWシステムでは、コンベンショナルな操舵装置におけるセルフアライニングトルクに応じた操舵反力を模擬する操舵反力特性を設定し、当該操舵反力特性に基づいてステアリングホイールに操舵反力を付与しており、このとき、ステアリングホイールの操舵角とドライバの操舵トルクとの関係は、図１３に示すような特性Aとなる。すなわち、操舵角の絶対値が大きいほど操舵トルクの絶対値は大きくなり、操舵角の絶対値が小さいときは大きいときよりも操舵角の変化量に対する操舵トルクの変化量が大きくなる。
【００３６】
ここで、旋回中にドライバが進路修正のために保舵トルクを変化させる場合を考える。図１３において、ドライバが保舵トルクT1で操舵角θ1を保持した状態から、保舵トルクをT2まで減少させると、操舵角はθ2となり、操舵角の減少によって前輪5L,5Rの転舵角は小さくなる。このとき、上述したSBWシステムにおける操舵反力特性により、カーブの曲率が大きいほど保舵トルクの変化に対して操舵角は大きく変動する。つまり、カーブの曲率が大きいほど操舵トルクに対する車両の感度が高くなるため、進路修正が困難であるという問題があった。
【００３７】
これに対し、実施例１の曲率に応じた反力オフセット制御では、白線の曲率が大きいほどセルフアライニングトルクに応じた操舵反力トルクを表す操舵反力特性をセルフアライニングトルクと同一符号方向へオフセットすることで、操舵角と操舵トルクとの関係を表す特性は、図１４に示すように操舵角と同一符号方向へオフセットされ、特性Aから特性Bへと変化する。これにより、白線の曲率が大きいほど保舵トルクの変化量に対する操舵角の変化量が小さくなるため、ドライバが保舵トルクをT4まで減少させ、保舵トルクの減少量ΔT3-4が図１３に示した従来技術の減少量ΔT1-2と同一の場合であったとしても、操舵角の減少量Δθ1-4は従来技術の減少量Δθ1-2よりも小さくなる。つまり、カーブの曲率が大きいほど保舵トルクの変化に対する操舵角の変動を小さくでき、操舵トルクに対する車両の感度を低くできるため、車両の挙動変化を緩やかとなり、ドライバによる進路修正の容易化を図ることができる。また、操舵角θ１を維持するための保舵トルクT3(<T1)を従来技術よりも小さくできるため、旋回時におけるドライバの操舵負担を軽減できる。
【００３８】
従来、旋回時におけるドライバの操舵負担軽減を目的とし、白線の曲率が大きいほど操舵反力特性の傾きを小さくする技術は知られているが、当該従来技術では、曲率が大きいほど保舵トルクの変化に対する操舵角の変動が大きくなるため、操舵トルクに対する車両の感度が高くなってしまう。つまり、操舵反力特性を白線の曲率に応じてセルフアライニングトルクと同一方向へオフセットすることで、旋回時におけるドライバの操舵負担軽減と進路修正の容易化との両立を実現できる。
【００３９】
［操舵反力トルクオフセット部］
図１５は、操舵反力トルクオフセット部36の制御ブロック図である。
ヨー角演算部36aは、前方注視点でのヨー角を演算する。カメラ17により撮影された走行路の映像に基づいてヨー角を演算することで、簡単かつ高精度にヨー角を検出できる。
横位置演算部36bは、前方注視点での左右白線に対する横位置および現在位置での左右白線に対する横位置をそれぞれ演算する。ここで、横位置演算部36bは、自車が白線を越えて隣の走行車線に移った場合、すなわち、レーンチェンジが行われた場合、現在位置での左右白線に対する横位置を入れ替える。つまり、白線到達前の左白線に対する横位置を白線到達後の右白線に対する横位置とし、白線到達前の右白線に対する横位置を白線到達後の左白線に対する横位置とする。なお、車線幅が異なる走行車線にレーンチェンジした場合には、レーンチェンジ後の走行車線の車線幅W2をレーンチェンジ前の走行車線の車線幅W1で除した値W2/W1を入れ替えた横位置に乗じて横位置を補正する。ここで、各走行車線の車線幅情報は、ナビゲーションシステム24から取得する。
逸脱余裕時間に応じた反力演算部39は、車速とヨー角と前方注視点での左右白線に対する横位置とに基づき、逸脱余裕時間に応じた反力を演算する。逸脱余裕時間に応じた反力演算部39の詳細については後述する。
横位置に応じた反力演算部40は、現在位置での左右白線に対する横位置に基づき、横位置に応じた反力を演算する。横位置に応じた反力演算部40の詳細については後述する。
反力選択部36cは、逸脱余裕時間に応じた反力と横位置に応じた反力のうち絶対値が大きな方を操舵反力トルクオフセット量として選択する。
【００４０】
反力抑制処理部42は、反力選択部36cから出力された操舵反力トルクオフセット量（演算値）が所定の閾値以上である状態が所定時間（例えば、6秒間）継続した場合、操舵反力トルクオフセット量を一定の勾配で低下させる反力抑制処理オフセット量（抑制値）を演算し、演算値に代えて反力抑制処理オフセット量を操舵反力トルクオフセット量として後段に出力する反力抑制処理を開始する。所定の閾値は、横位置および逸脱余裕時間に応じた反力オフセット制御をドライバが感じる値とする。換言すると、操舵装置のフリクション値とする。反力抑制処理オフセット量が所定の復帰閾値まで低下した場合、反力抑制処理オフセット量を復帰閾値に保持する。所定の復帰閾値は、上記所定の閾値よりも小さい値であって、横位置および逸脱余裕時間に応じた反力オフセット制御が作動していることをドライバが感じない値とする。換言すると、操舵装置のフリクション値よりも小さい値とする。反力抑制処理オフセット量の保持中にヨー角演算部36aで演算されたヨー角が所定角度以下となった場合、車両が直進状態であると判定して反力抑制処理を解除し、保持値を演算値まで一定の勾配で復帰させる反力抑制処理オフセット量を演算する。保持値が演算値まで復帰した後は、演算値をそのまま出力する。反力抑制処理中に演算値が抑制値を下回った場合には、演算値を出力する。すなわち、演算値と抑制値とのセレクトローにより操舵反力トルクオフセット量を選択する。反力抑制処理中に演算値が復帰閾値を下回った場合にも反力抑制処理を解除し、この場合は解除と同時に抑制値から演算値の出力へと切り替える。
反力抑制処理部42は、反力抑制処理を開始した時点で反力抑制処理フラグをセットし、反力抑制処理を解除した時点で反力抑制処理フラグをリセットする。反力抑制処理フラグがリセット状態である場合には、抑制値から演算値へ一定勾配で復帰する場合を除き、演算値、すなわち反力選択部36cから出力された操舵反力トルクオフセット量を出力する。
リミッタ処理部36dは、操舵反力トルクオフセット量の最大値および変化率の上限を制限する。例えば、最大値は2Nm、変化率の上限は10Nm/sとする。
【００４１】
図１６は、逸脱余裕時間に応じた反力演算部39の制御ブロック図である。
乗算器39aは、ヨー角に車速を乗じて車両の横速度を求める。
除算器39bは、前方注視点での左白線に対する横位置を横速度で除して左白線に対する逸脱余裕時間を求める。
除算器39cは、前方注視点での右白線に対する横位置を横速度で除して右白線に対する逸脱余裕時間を求める。
逸脱余裕時間選択部39dは、左右白線に対する逸脱余裕時間のうち短い方を逸脱余裕時間として選択する。
逸脱余裕時間に応じた反力演算部39eは、逸脱余裕時間に基づき、逸脱余裕時間に応じた反力を演算する。逸脱余裕時間に応じた反力は、逸脱余裕時間に反比例（逸脱余裕時間の逆数に比例）し、3秒以上でほぼゼロとなる特性を有する。
【００４２】
図１７は、横位置に応じた反力演算部40の制御ブロック図である。
減算器40aは、あらかじめ設定された目標左横位置（例えば、90cm）から左車線に対する横位置を減じて左車線に対する横位置偏差を求める。
減算器40bは、あらかじめ設定された目標右横位置（例えば、90cm）から右車線に対する横位置を減じて右車線に対する横位置偏差を求める。
横位置偏差選択部40cは、左右車線に対する横位置偏差のうち大きな方を横位置偏差として選択する。
横位置偏差に応じた反力演算部40dは、横位置偏差に基づき、横位置に応じた反力を演算する。横位置に応じた反力は、横位置偏差が大きいほど大きくなる特性とし、上限を設定する。
【００４３】
［横位置に応じた反力オフセット制御作用］
横位置に応じた反力オフセット制御は、横位置に応じた反力を操舵反力トルクオフセット量として操舵反力トルクに加算する。これにより、セルフアライニングトルクに応じた操舵反力トルクを表す操舵反力特性は、図１８に示すように、白線までの距離が短くなるほど操舵反力トルクの絶対値が大きくなる方向へオフセットされる。なお、図１８は右車線に近い場合であり、左車線に近い場合は図１８と反対方向にオフセットされる。
【００４４】
ここで、従来の操舵反力制御において、ドライバの不意な右方向への切り増し操作により車両の走行位置が右側にずれ、その後ドライバが修正操舵によって走行位置を走行車線中央付近に戻す場合を考える。ドライバが不意な操作を行ったときの操舵角と操舵トルクを、図１９の特性A上の点P1の位置とする。特性Aは、図１３と同様、コンベンショナルな操舵装置を模擬した操舵反力特性を設定したときの操舵角と操舵トルクとの関係を表す特性とする。この状態から走行位置を走行車線中央付近に戻すためには、前輪を左に転舵させる必要が有るため、ドライバは操舵角中立位置への切り戻し操作に続けて、操舵角中立位置からの切り増し操作を行い、ステアリングホイールを狙った角度θ5に合わせる。このとき、上記従来技術では、操舵角中立位置（操舵角ゼロ点）と操舵トルク中立位置（操舵トルクゼロ点）とが一致しているため、操舵角中立位置までは操舵トルクを減少させ、操舵角中立位置を超えたら操舵トルクを増加させる必要がある。つまり、操舵角中立位置をまたぐ修正操舵を行う場合、操舵トルクの符号が反転し、ドライバが力をコントロールする方向が切り替わると共に、操舵トルク中立位置付近は他の操舵角領域と比較して操舵トルクの変化量に対する操舵角の変化量が著しく小さいため、ドライバの操舵負担が大きく、ステアリングホイールを狙った角度θ5にコントロールすることが困難である。これにより、車両の走行位置がオーバーシュートしやすくなることで、修正操舵量の増大を招くという問題があった。
【００４５】
これに対し、実施例１の横位置に応じた反力オフセット制御では、白線までの距離が短いほどセルフアライニングトルクに応じた操舵反力トルクを操舵反力トルクの絶対値が大きくなる方向へオフセットすることで、操舵角と操舵トルクとの関係を表す特性は、図２０に示すように、操舵トルクの絶対値が大きくなる方向へオフセットされ、白線までの距離が短くなるに従い特性Aから特性Cへと連続的に変化する。このとき、操舵角を維持するためには、操舵トルクを増やす必要があり、操舵トルクが一定であれば、ステアリングホイール6が少しずつ操舵角中立位置に戻されるため（点P1→点P2）、ドライバの不意な切り増し操作によって車両の走行位置が右側にずれるのを抑制できる。一方、ドライバが操舵角を維持した場合、操舵角と操舵トルクは点P1から点P3へと移動する。この状態からドライバが修正操舵を行う場合、特性Cでは操舵トルク中立位置が操舵角中立位置よりも切り増し側へオフセットされているため、操舵角中立位置からの切り増し操作時において、操舵トルク中立位置に達するまでの間、操舵トルクの符号は反転しない。よって、ドライバは操舵トルクを減少させ、ステアリングホイール6が狙いの角度となったときにステアリングホイール6の回転を止めるだけで、前輪5L,5Rの転舵角をコントロールできる。つまり、実施例１の横位置に応じた反力オフセット制御は、ドライバが力をコントロールする方向が切り替わりにくいため、ドライバの修正操舵を容易化できる。この結果、車両の走行位置がオーバーシュートしにくくなるため、修正操舵量を低減できる。
【００４６】
従来、ドライバの不意な操作によって走行位置がずれるのを抑制することを目的とし、白線に近付くほど操舵反力を大きくする技術は知られているが、当該従来技術では、白線に近づくほどステアリングホイールを重くするだけであって、操舵反力特性における操舵トルク中立位置は常に操舵角中立位置と一致しているため、操舵角中立位置をまたぐ修正操舵では、操舵トルクの符号が反転し、ドライバの操舵負担は軽減されない。つまり、白線までの距離が短いほどセルフアライニングトルクに応じた操舵反力トルクを操舵反力トルクの絶対値が大きくなる方向へオフセットすることで、走行位置のずれ抑制とドライバの操舵負担軽減との両立を実現できる。
【００４７】
また、実施例１の横位置に応じた反力オフセット制御では、白線までの距離が短いほどオフセット量を大きくしているため、操舵トルク中立位置は、白線までの距離が短いほど操舵角中立位置からより離れた位置へオフセットされる。ドライバが車両の走行位置を走行車線中央付近まで戻す修正操舵を行う場合、白線に近いほど操舵角中立位置からの切り増し操作量を多くする必要がある。このとき、操舵角中立位置に対する操舵トルク中立位置のオフセット量が小さいと、ステアリングホイールが狙いの角度となる前に操舵トルクが中立位置を越えて操舵トルクの符号が反転する可能性がある。よって、白線までの距離が短いほどオフセット量を大きくすることで、操舵トルクが中立位置を越えるのを抑制できる。
【００４８】
実施例１の横位置に応じた反力オフセット制御において、横位置演算部36bは、自車が白線に到達したとき、現在位置での左右白線に対する横位置を入れ替える。横位置に応じた反力オフセット制御では、自車が走行車線中央付近から遠ざかるほど操舵反力を大きくすることで自車が走行車線中央付近に戻りやすくしている。つまり、ヨー角積分値（横位置変化）を外乱とみなし、車両をヨー角積分値が無くなる方向へ誘導するように操舵反力を制御している。このため、レーンチェンジが行われた場合、ヨー角積分値をリセットする必要がある。仮にヨー角積分値をリセットしない場合、レーンチェンジ後もレーンチェンジ前の走行車線中央付近に車両を戻すための操舵反力が作用し続けるため、ドライバの操作が阻害されるからである。なお、単に積分値をゼロとするのみでは、レーンチェンジ後の走行車線中央付近に車両を誘導することができない。
【００４９】
そこで、実施例１では、自車が白線に到達した場合には、ドライバの意図的な操作とみなせるため、その場合は現在位置での左右白線に対する横位置を入れ替える、換言すると、ヨー角積分値の符号を反転させることにより、自車を誘導する位置をレーンチェンジ前の走行車線中央付近からレーンチェンジ後の走行車線中央付近に切り替え、レーンチェンジ後の走行車線中央付近に自車を誘導するための操舵反力を生成できる。このとき、レーンチェンジ前の走行車線の車線幅W1に対するレーンチェンジ後の走行車線の車線幅W2の比率W2/W1を考慮するため、正確な横位置を設定でき、自車を走行車線中央付近に誘導するための最適なオフセット量を設定できる。
【００５０】
［逸脱余裕時間に応じた反力オフセット制御作用］
逸脱余裕時間に応じた反力オフセット制御は、逸脱余裕時間に応じた反力を操舵反力トルクオフセット量として操舵反力トルクに加算する。これにより、セルフアライニングトルクに応じた操舵反力トルクを表す操舵反力特性は、図１８に示したように、逸脱余裕時間が短くなるほど操舵反力トルクの絶対値が大きくなる方向へオフセットされる。なお、図１８は右車線に近い場合であり、左車線に近い場合は図１８と反対方向にオフセットされる。
【００５１】
このため、操舵角と操舵トルクとの関係を表す特性は、図２０に示したように、操舵トルクの絶対値が大きくなる方向へオフセットされ、逸脱余裕時間が短くなるに従い特性Aから特性Cへと連続的に変化する。このとき、操舵角を維持するためには、操舵トルクを増やす必要があり、操舵トルクが一定であれば、ステアリングホイール6が少しずつ操舵角中立位置に戻されるため（点P1→点P2）、ドライバの不意な切り増し操作によって車両の走行位置が右側にずれるのを抑制できる。一方、ドライバが操舵角を維持した場合、操舵角と操舵トルクは点P1から点P3へと移動する。この状態からドライバが修正操舵を行う場合、特性Cでは操舵トルク中立位置が操舵角中立位置よりも切り増し側へオフセットされているため、操舵角中立位置からの切り増し操作時において、操舵トルク中立位置に達するまでの間、操舵トルクの符号は反転しない。よって、ドライバは操舵トルクを減少させ、ステアリングホイール6が狙いの角度となったときにステアリングホイール6の回転を止めるだけで、前輪5L,5Rの転舵角をコントロールできる。つまり、実施例１の逸脱余裕時間に応じた反力オフセット制御は、ドライバが力をコントロールする方向が切り替わりにくいため、ドライバの修正操舵を容易化できる。この結果、車両の走行位置がオーバーシュートしにくくなるため、修正操舵量を低減できる。
【００５２】
また、実施例１の逸脱余裕時間に応じた反力オフセット制御では、逸脱余裕時間が短いほどオフセット量を大きくしているため、操舵トルク中立位置は、逸脱余裕時間が短いほど操舵角中立位置からより離れた位置へオフセットされる。ドライバが車両の走行位置を走行車線中央付近まで戻す修正操舵を行う場合、逸脱余裕時間が短いほど白線に近い可能性が高く、白線に近いほど操舵角中立位置からの切り増し操作量を多くする必要がある。このとき、操舵角中立位置に対する操舵トルク中立位置のオフセット量が小さいと、ステアリングホイールが狙いの角度となる前に操舵トルクが中立位置を越えて操舵トルクの符号が反転する可能性がある。よって、白線までの距離が短いほどオフセット量を大きくすることで、操舵トルクが中立位置を越えるのを抑制できる。
【００５３】
［横位置および逸脱余裕時間に応じた反力オフセット制御の併用効果］
操舵反力制御部20では、操舵反力トルクオフセット部36において、逸脱余裕時間に応じた反力と横位置に応じた反力のうち絶対値が大きな方を操舵反力トルクオフセット量として選択し、加算器20cにおいて、操舵反力トルクに操舵反力トルクオフセット量を加算する。これにより、逸脱余裕時間または横位置に応じて操舵反力特性が操舵反力トルクの絶対値が大きくなる方向へオフセットされる。
逸脱余裕時間に応じた反力オフセット制御では、自車と白線とが平行である場合、すなわち、ヨー角がゼロである場合、逸脱余裕時間に応じた反力はゼロである。このため、自車が白線に近い位置であっても、ヨー角が小さい場合には、僅かな反力しか出すことができない。これに対し、横位置に応じた反力オフセット制御では、白線までの距離に比例して反力（横位置に応じた反力）を生成するため、白線までの距離が短くなるほど大きな反力を出すことができ、自車を走行車線中央付近に戻しやすくすることができる。
【００５４】
一方、横位置に応じた反力オフセット制御では、自車が走行車線中央付近にある場合、横位置に応じた反力はゼロである。このため、走行車線中央付近であっても、ヨー角が大きく、さらに車速が高いとき場合には、短時間で白線まで到達するのに対し、操舵反力を応答良く増大させることが難しい。これに対し、逸脱余裕時間に応じた反力オフセット制御では、逸脱余裕時間に応じて反力（逸脱余裕時間に応じた反力）を生成すること、および当該反力は逸脱余裕時間が3秒以下になると急激に立ち上がる特性であることから、短時間で白線まで到達する場合であっても、操舵反力を応答良く増大させて車線逸脱を抑制できる。
よって、逸脱余裕時間に応じた反力オフセット制御と横位置に応じた反力オフセット制御を併用することにより、白線までの距離に応じて安定的な反力を付与しつつ、車線逸脱を効果的に抑制できる。このとき、逸脱余裕時間に応じた反力と横位置に応じた反力のうち絶対値が大きな方を用いることで、常に必要とされる最適な操舵反力を付与できる。
【００５５】
［運転支援停止作用］
図２１は、操舵反力トルクオフセット量が閾値以上である状態が所定時間継続した場合の操舵反力トルクオフセット量と横位置に応じた反発力のタイムチャートである。
時点t1では、操舵反力トルクオフセット量が閾値と一致する。
時点t2では、操舵反力トルクオフセット量が閾値を超えた状態で所定時間が経過したため、反力抑制処理を開始する。
時点t2からt3までの区間では、操舵反力トルクオフセット量を一定の勾配で低下させる。一方、横位置に応じた反発力は、反力抑制処理開始時点での演算値を保持する。このとき、二点鎖線で示すように、操舵反力トルクオフセット量の演算値が抑制値を下回った場合は、演算値に追従させる。横位置に応じた反発力も同様である。
時点t3では、操舵反力トルクオフセット量が復帰閾値まで低下したため、操舵反力トルクオフセット量を復帰閾値に保持する。
時点t3からt4までの区間では、操舵反力トルクオフセット量および横位置に応じた反発力を不変とする。
時点t4では、ヨー角に基づく直進判定により、反力抑制処理を解除する。
時点t4以降は、操舵反力トルクオフセット量および横位置に応じた反発力を一定の勾配で増加させることで横位置に応じた演算値まで復帰させ、通常の制御へと移行する。
【００５６】
実施例１では、２つの反力制御（横位置に応じた反力オフセット制御、逸脱余裕時間に応じた反力オフセット制御）および１つの転舵制御（横位置F/B制御）により車線逸脱を抑制し、ドライバの運転支援を行っている。連続的に白線に応じた運転支援を行うことは、ドライバの疲労軽減につながるものの、長時間に亘って運転支援を継続すると、ドライバはあたかも自動運転であるかのように運転支援を過信し、運転に対する意識が低下するという問題があった。
これに対し、実施例１では、操舵反力トルクオフセット量が閾値以上である状態が所定時間（6秒間）継続した場合、操舵反力トルクオフセット量を低下させる反力抑制処理を行う。これにより横位置に応じた運転支援が停止したことを操舵反力の低下によってドライバに気付かせることができるため、ドライバが運転支援を過信するのを抑制でき、ドライバの運転に対する意識を高めることができる。操舵反力を低下させても車両挙動には直接影響を与えないため、車両が白線から逸脱する恐れはない。また、操舵反力トルクオフセット量を徐々に低下させているため、ドライバに反力抜けによる違和感を与えるのを抑制できる。そして、操舵反力トルクオフセット量をドライバに制御を感じさせない復帰閾値まで低下させているため、ドライバに運転支援が停止したことを確実に認識させることができる。なお、反力抑制処理中も横位置に応じた操舵反力トルクオフセット量の演算は継続しているため、横位置に応じた通常の制御に移行する際、制御の応答遅れが生じるのを抑制できる。
【００５７】
実施例１では、反力抑制処理中に直進状態と判定された場合、反力抑制処理を解除する。車両の進行方向と白線の向きが一致した時点で操舵反力トルクオフセット量および横位置に応じた反発力を通常の値（演算値）に戻すことで、車両が安定した状態となってから通常の制御へ移行できるため、反力抑制処理から通常の制御へ移行する際に車両挙動が不安定となるのを抑制できる。
実施例１では、反力抑制処理中に操舵反力トルクオフセット量の演算値が抑制値を下回った場合には、演算値に追従させる（図２１の操舵反力トルクオフセット量の二点鎖線）。仮に、演算値が抑制値を下回った場合にも抑制値を選択すると、本来出すべき操舵反力に対して実際の操舵反力が過大となるため、ドライバに違和感を与えてしまう。よって、この場合は演算値に追従させることで、ドライバに与える違和感を軽減できる。横位置に応じた反発力についても同様であり、反力抑制処理中に横位置に応じた反発力の演算値が保持値を下回った場合には、演算値に追従させる（図２１の横位置に応じた反発力の二点鎖線）。これにより、本来出すべき外乱抑制指令転舵角に対して外乱抑制指令転舵角が過大となるのを抑制でき、ドライバに与える違和感を軽減できると共に、車両挙動の乱れを抑制できる。
実施例１では、反力抑制処理において、操舵反力トルクオフセット量が閾値以上である状態が所定時間（6秒間）継続した場合、横位置に応じた反発力を反力抑制処理開始時点の値に保持する。仮に、横位置に応じた反発力を低下させた場合、車両が白線から逸脱するおそれがある。一方、横位置に応じた反発力を増加させた場合、運転支援の停止をドライバに認識させづらくなる。よって、横位置に応じた反発力を保持することで、車線逸脱を抑制しつつ、ドライバに運転支援の停止を認識させることができる。
【００５８】
以上説明したように、実施例１にあっては以下に列挙する効果を奏する。
(1) 操舵部1に操舵反力を付与する反力モータ（操舵反力アクチュエータ）8と、自車の横位置が白線に近いほど当該白線から遠ざかる方向の操舵反力が大きくなる操舵反力トルクオフセット量（操舵反力制御量）を演算する操舵反力トルクオフセット部（操舵反力制御量演算手段）36と、操舵反力トルクオフセット量に基づいて反力モータ8を制御する電流ドライバ（操舵反力制御手段）23と、操舵部1と機械的に切り離された転舵部2に転舵トルクを付与する転舵モータ（転舵アクチュエータ）13と、自車の横位置が白線に近いほど当該白線から遠ざかる方向の転舵量が大きくなる横位置に応じた反発力（転舵制御量）を演算する横位置に応じた反発力演算部（転舵制御量演算手段）38と、横位置に応じた反発力に基づいて転舵モータ13を制御する電流ドライバ（転舵制御手段）22と、操舵反力トルクオフセット量が所定の閾値以上である状態が所定時間継続した場合、操舵反力トルクオフセット量を低下させる反力抑制処理オフセット量（反力抑制処理操舵反力制御量）を演算し、操舵反力トルクオフセット量に代えて反力抑制処理オフセット量に基づいて反力モータ8を制御する反力抑制処理を行う反力抑制処理部（反力抑制処理手段）42と、反力抑制処理が開始された場合、横位置に応じた反発力を反力抑制処理開始時点の値に保持する横位置に応じた反発力保持部（転舵量保持手段）41と、を備えた。
これにより、横位置に応じた運転支援が停止したことを操舵反力の低下によってドライバに気付かせることができるため、ドライバが運転支援を過信するのを抑制できる。この結果、車線逸脱を抑制しつつ、ドライバの運転に対する意識を高めることができる。
【００５９】
(2) 反力抑制処理部42は、反力抑制処理オフセット量が所定の復帰閾値まで低下した場合、反力抑制処理オフセット量を復帰閾値に保持する。
これにより、制御を停止することなくドライバに運転支援が停止したことを認識させることができ、通常の制御に移行する際の応答遅れを抑制できる。
【００６０】
(3) 車両の直進状態を判定するヨー角演算部（直進判定手段）36aを備え、反力抑制処理部42は、反力抑制処理オフセット量の保持中に直進状態と判定された場合、反力抑制処理を解除し、反力抑制処理オフセット量を操舵反力トルクオフセット量まで復帰させる。
これにより、車両が安定した状態となってから通常の制御へ移行でき、反力抑制処理から通常の制御へ移行する際に車両挙動が不安定となるのを抑制できる。
【００６１】
(4) 反力抑制処理部42は、反力抑制処理中に操舵反力トルクオフセット量が反力抑制処理オフセット量を下回った場合には、操舵反力トルクオフセット量を反力モータ8に付与する。
これにより、本来出すべき操舵反力に対して過大な操舵反力が付与されるのを抑制でき、ドライバに与える違和感を軽減できる。
【００６２】
(5) 横位置に応じた反発力保持部41は、反力抑制処理が解除された場合、保持していた横位置に応じた反発力を横位置に応じた反発力演算部38により演算された横位置に応じた反発力まで復帰させる。
これにより、車両が安定した状態となってから通常の制御へ移行でき、反力抑制処理から通常の制御へ移行する際に車両挙動が不安定となるのを抑制できる。
【００６３】
(6) 横位置に応じた反発力保持部41は、反力抑制処理開始後に横位置に応じた反発力演算部38により演算された横位置に応じた反発力が反力抑制処理開始時点の値を下回った場合には、横位置に応じた反発力を転舵モータ13に付与する。
これにより、本来出すべき外乱抑制指令転舵角に対して過大な外乱抑制指令転舵角が付与されるのを抑制でき、ドライバに与える違和感および車両挙動の乱れを抑制できる。
【図１】
0005971417.tif 000002
【図２】
0005971417.tif 000003
【図３】
0005971417.tif 000004
【図４】
0005971417.tif 000005
【図５】
0005971417.tif 000006
【図６】
0005971417.tif 000007
【図７】
0005971417.tif 000008
【図８】
0005971417.tif 000009
【図９】
0005971417.tif 000010
【図１０】
0005971417.tif 000011
【図１１】
0005971417.tif 000012
【図１２】
0005971417.tif 000013
【図１３】
0005971417.tif 000014
【図１４】
0005971417.tif 000015
【図１５】
0005971417.tif 000016
【図１６】
0005971417.tif 000017
【図１７】
0005971417.tif 000018
【図１８】
0005971417.tif 000019
【図１９】
0005971417.tif 000020
【図２０】
0005971417.tif 000021
【図２１】
0005971417.tif 000022